(57)【要約】【課題】小児用便座、便蓋を簡易に脱着できるようにする。更に、便座の高さも調節できるようにする。【解決手段】大人用便座２、小児用便座３、便蓋４の各後側中央部に夫々軸着部６、７、８を形成し、各軸着部の両側後端部には夫々軸片９、１０、１１を突設してあり、便器本体の後側受台部１２上に固定できる基板１３上側に前側を開口したコ状の取付壁１４を設け、該取付壁内側の対向面には、その後部に便蓋と小児用便座の各軸片を装入し得る２条の案内用縦溝１５、１６を対設し、取付壁内側の前部には大人用便座の両軸片を装入し得る案内用縦溝１８を形成した軸受部材５に、上記大人用便座、小児用便座、便蓋の各軸片を各縦溝に夫々装入して起伏回転可能に装着してある。大人用便座は、裏側内周に便器本体の上端縁内に嵌合する周壁２３を形成すると共に適所に凹所２４を設けて高さ調節用の支持片２５を出没可能に埋設してある。【選択図】  図５
2005021200.tif 000002
【特許請求の範囲】
【請求項１】
大人用便座、小児用便座、便蓋の各後側中央部に夫々軸着部を形成し、各軸着部の両側後端部には夫々軸片を突設してあり、便器本体の後側受台部上に載り固定できるように形成した基板上側に、前側を開口したコ状の取付壁を設け、該取付壁内側の対向面には、その後部に小児用便座と便蓋の各軸片を装入し得る２列の軸片案内用縦溝を対設し、取付壁内側の前部には大人用便座の両軸片を装入し得る軸片案内用縦溝を形成した軸受部材に、上記各軸片を夫々装入して起伏回転可能に装着してなることを特徴とする洋式便器の便座装置。
【請求項２】
大人用便座は、その裏側内周に便器本体の上端縁内に嵌合する周壁を形成すると共に適所に凹所を設けて高さ調節用の支持片を出没可能に埋設してある請求項１記載の洋式便器の便座装置。
【請求項３】
軸受部材の取付壁の内側上部には、軸片案内用縦溝と直交する横溝を対設してある請求項１又は２記載の洋式便器の便座装置。
【請求項４】
取付壁内側の前部に設けた縦溝の下部には、大人用便座を伏倒した場合その軸着部の両角部を係合し得る載置部を形成してある請求項１、２又は３記載の洋式便器の便座装置。
【請求項５】
大人用便座の先端部には吊掛軸を設け、トイレットペーパーホルダーを吊り掛け得るようにしてある請求項１、２、３又は４記載の洋式便器の便座装置。
【発明の詳細な説明】
【０００１】
【発明が属する技術分野】
本発明は大人用便座と小児用便座を具えた洋式便器に関する。
【０００２】
【従来の技術】
本発明者は、以前親子便座を具えた洋式便器を考案し、実用新案第５７７９０１号として登録されたが、現在では大人用便座、小児用便座及び便蓋を便器本体の上側後部で一体的に軸着して、夫々起伏回転できるようにしたものは一般に使用されている。
また、便座の移動を電気的、機械的に操作するものとしては、例えば特許第３０６４９５８号発明のように、便器周縁部上面に左右対称の湾曲形の２葉の便座葉板を設け、便座後部を手動又は電動で回転する手動軸に連結して、２葉の便座葉板で形成される便口幅を可変にしたものが開示されている。
【０００３】
【発明が解決しようとする課題】
しかし、従来の大人用便座、小児用便座、便蓋を一体的に結合した便座装置では、その軸着部を簡単に分解、組立て出来ないため、便器設置当初とは家族状況が変化したり、使用者が変った場合等には不便を感じることがあった。
また、機械的、電気的作用で便座の間隔を大小に調節するようにしたものは便利ではあるが、構造が複雑でコスト高になる難点があった。
また、従来の便器は便座の高さが常に一定であるため、子供の成長等により、便座の高さを変えたい場合でも高低の調節ができないため、使用上不便を感じていた。
そこで本発明では、大人用便座、小児用便座及び便蓋を簡単な構成で起伏回転自在に装着できると共に、組立て、分解が容易であり、使用者の状況に合わせて、小児用便座、便蓋を簡易に脱着できるようにした。更に、便座の高さも容易に調節できるようにしたものである。
【０００４】
【課題を解決するための手段】
本発明では上記目的を達成する為に次のように構成した。
大人用便座、小児用便座、便蓋の各後側中央部に夫々軸着部を形成し、各軸着部の両側後端部には夫々軸片を突設して軸受部材に起伏回転可能に装着してなり、上記軸受部材は、便器本体の後側受台部上に載り固定できるように形成した基板上側に、前側を開口したコ状の取付壁を設け、該取付壁内側の対向面には、その後部に小児用便座と便蓋の各軸片を装入し得る２条の軸片案内用縦溝を対設してあり、取付壁内側の前部には大人用便座の両軸片を装入し得る案内用縦溝を形成した。
而して、大人用便座は、その裏側内周に便器本体の上端縁内に嵌合する周壁を形成すると共に適所に凹所を設けて高さ調節用の支持片を軸着し出没可能に埋設してある。
また、軸受部材の取付壁の内側上部には、軸片案内用縦溝と直交する案内用横溝を対設することができる。
また、取付壁内側の前部に設けた縦溝の下部には、大人用便座を伏倒した場合その軸着部の両角部を係合し得る載置部を形成することができる。
更に、大人用便座の先端部には吊掛軸を設け、トイレットペーパーホルダーを吊り掛け得るようにすることもできる。
【０００５】
【発明の実施の形態】
本発明の便座装置は、大人用便座、小児用便座、便蓋の各後側中央部に夫々軸着部を形成し、各軸着部の両側後端部には夫々軸片を突設して軸受部材に起伏回転可能に装着してなり、上記軸受部材は、便器本体の後側受台部上に載り固定できるように形成した基板上側に、前側を開口したコ状の取付壁を設け、該取付壁内側の対向面には、その後部に小児用便座と便蓋の各軸片を装入し得る２条の軸片案内用縦溝を対設してあり、取付壁内側の前部には大人用便座の両軸片を装入し得る案内用縦溝を形成した。
上記取付壁内側後部に設けた２条の案内用縦溝は、内側下端部から取付壁の上端まで設ければよいが、取付壁の内側上部に案内用縦溝と直交する横溝を設けることもできる。
而して、大人用便座は、その裏側内周に便器本体の上端縁内に嵌合する周壁を形成すると共に適所に凹所を設けて高さ調節用の支持片を軸着し出没可能に埋設してある。
また、取付壁内側の前部に設けた縦溝の下部には、大人用便座を伏倒した場合その軸着部の両角部を係合し得る載置部を２段に形成することができる。
また、大人用便座の先端部には吊掛軸を設けて、トイレットペーパーホルダーを吊掛けることもできる。
【０００６】
【実施例１】
図面に従って本発明の実施例を説明する。
図１乃至図６において、１は便器本体を示し、２は大人用便座、３は小児用便座、４は便蓋、５は軸受部材を示す。而して、上記大人用便座２、小児用便座３、便蓋４の各後側中央部には軸着部６、７、８を凸状に形成し、各軸着部の両側後端部には軸片９、１０、１１を横向きに突設してある。
上記軸受部材５は、便器本体１の後側受台部１２上に載るように形成してあり、その基板１３の上側には前側を開いたコ状の取付壁１４を設けてある。
上記取付壁１４内側の対向面には、その後部に小児用便座３と便蓋４の各軸片１０、１１を上部から装入し得る２条の軸片案内用の縦溝１５、１５、１６、１６を夫々対設してある。而して、上記縦溝１５、１６の上端部には、これと直交する案内用の横溝１７、１７を対設してある。この横溝１７を設けると縦溝１５、１６の上端が塞がれるが、縦溝１５、１６内に小児用便座３と便蓋４の軸片１０、１１を装入するには、軸着部７，８を斜めにして、先ず両側の軸片を対向する横溝内１７、１７に入れ、移動させ乍ら両軸片を縦溝１５、１５、１６、１６に夫々通し押し下げることにより装入できる。
取付壁１４内側の前部には、大人用便座２の両軸片９，９を装入し得る案内用縦溝１８と該便座を伏倒した場合その軸着部６の両角部が係合し得る載置部１９、２０を縦溝１８下部の後側に沿って上下２段に形成してあり、この載置部の入口２１、２２は上側を弧面に形成して軸着部６が通り易いようにしてある。
上記大人用便座２の裏側には、便器本体１の上端縁内に嵌合する周壁２３を形成してあると共に、裏側適所には便座２の両側の位置に凹所２４、２４を設けて支持片２５を軸着２６し、出没可能に埋設してある。而して、支持片２５を突出させると、その先端面が便器本体１の上端面に載り、大人用便座２を一段高い位置に固定できると共に便座の周壁２３で便器本体１の上端面と便座２裏面間に生じた間隔を塞ぐことができるようにした。従って、便座を高い位置で固定する場合には、支持片２５を突出させると共に、便座の軸着部６を載置部１９に載せればよい。
【０００７】
上記構成からなる便座装置では、大人用便座２はその両軸片９を縦溝１８上端から挿入することにより装着でき、小児用便座３と便蓋４はその各両軸片１０、１０、１１、１１を横溝１７から縦溝１５、１６内に夫々挿入することにより装着できる。而して、大人用便座２、小児用便座３、便蓋４は、いずれも装着した状態で起伏自在に回転できる。また、大人用便座裏側の支持片を引き出すことにより、便座を一段高くした状態で使用できる。
なお、基板１３を受台部１２上に固定するには、基板１３と受台部１２の各２個所に左右対称に設けたボルト孔２７、２８にボルト２９を挿通し、ナット３０で締着することにより固定する。
【０００８】
【実施例２】
次に、図７乃至図１２において、実施例１とは異なる構成の部分につき説明する。なお、実施例１と同一構成部分については同一符号で示す。
大人用便座２の裏側に設ける凹所２４及びその内部に埋設する支持片２５は、便座両側に夫々２個ずつ前後の位置に設けてある。而して、便座を一段高い位置で固定する場合には、この４個の各支持片２５を突出させ便器本体１上縁に載せればよい。従って、この実施例では上例のように、縦溝１８下部に軸着部両角部が係合する段状の載置部は形成しない。
また、基板１３を受台部１２上に固定するボルト３２は、その軸部３３を角形に形成し、それに合わせて受台部のボルト孔３５も角形に形成しておくと、締付工具を用いなくても片手で簡単に固定できる。而して、基板のボルト孔３４、３４の位置を図７に示すように、左右斜め位置に設けると固定し易い。その場合は受台部１２のボルト孔３５、３５もそれに合せて斜め位置に設ける。
また、大人用便座の先端部には吊掛軸３６を設けてあり、別に形成したトイレットペーパーホルダー３７の鈎片３８を引っ掛け得るようにしてある。３９はホルダーの紙押え板を示す。４０は別のトイレットペーパーホルダーであって、トイレットペーパーを使用し易い大きさに切断したものを重ねて収納するようにしたケース体４１であり、その鈎片４２を吊掛軸３６に引っ掛けるようにしたものである。このように、トイレットペーパーホルダーを吊掛軸に掛けておくと、身体障害者でもトイレットペーパーｐを使用し易い。
【０００９】
【発明の効果】
上記構成のように本発明では、大人用便座、小児用便座、便蓋の各後側中央部に夫々軸着部を形成し、各軸着部の両側後端部には夫々軸片を突設して軸受部材に起伏回転可能に装着してなり、上記軸受部材は、便器本体の後側受台部上に載り固定できるように形成した基板上側に、前側を開口したコ状の取付壁を設け、該取付壁内側の対向面には、その後部に便蓋と小児用便座の各軸片を装入し得る２列の軸片案内用縦溝を対設してあり、取付壁内側の前部には大人用便座の両軸片を装入し得る案内用縦溝を形成してあるから、前部の縦溝に大人用便座の両軸片を、後部前側の縦溝に小児用便座の両軸片を、後部後側の縦溝に便蓋の両軸片を各々挿入するだけで装着できると共に、便座、便蓋の装着状態で起伏回転動作も円滑にできる。
従って、便器設置後、子供の成長等により、小児用便座が不要になった場合等には小児用便座を取外したり、必要になれば再び装着することが簡単にできる。また、旅行等で小児用便座を携行したい場合等にも脱着が容易であるから便利である。
また大人用便座の裏側内周に周壁を形成すると共に適所に凹所を設けて高さ調節用の支持片を出没可能に埋設してあるから、必要に応じて便座の高低の調節が容易にできる。
本発明に係る便座装置は、基板のボルト孔を従来品と合わせることにより、既存の便器本体に取付けられている便座と取り換えられるようにすることも容易にできる。
【図面の簡単な説明】
【図１】便座装置の平面図である。
【図２】側面図である。
【図３】縦断面図である。
【図４】便座を起立した状態の一部断面を示す側面図である。
【図５】便座を高くした状態の側面図である。
【図６】軸受部材の中央縦断面図である。
【図７】別実施例の平面図である。
【図８】同上縦断面図である。
【図９】便座を高くした状態の断面図である。
【図１０】軸受部材の中央縦断面図である。
【図１１】ボルト固定部の断面図である。
【図１２】別のトイレットペーパーホルダーの斜視図である。
【符号の説明】
１    便器本体
２    大人用便座
３    小児用便座
４    便蓋
５    軸受部材
６    軸着部
７    軸着部
８    軸着部
９    軸片
１０    軸片
１１    軸片
１２    受台部
１３    基板
１４    取付壁
１５    縦溝
１６    縦溝
１７    横溝
１８    縦溝
１９    載置部
２０    載置部
２１    入口
２２    入口
２３    周壁
２４    凹所
２５    支持片
２６    軸着
２７    ボルト孔
２８    ボルト孔
２９    ボルト
３０    ナット
３２    ボルト
３３    軸部
３４    ボルト孔
３５    ボルト孔
３６    吊掛軸
３７    トイレットペーパーホルダー
３８    鈎片
３９    紙押え板
４０    トイレットペーパーホルダー
４１    ケース体
４２    鈎片
【図１】
2005021200.tif 000003
【図２】
2005021200.tif 000004
【図３】
2005021200.tif 000005
【図４】
2005021200.tif 000006
【図５】
2005021200.tif 000007
【図６】
2005021200.tif 000008
【図７】
2005021200.tif 000009
【図８】
2005021200.tif 000010
【図９】
2005021200.tif 000011
【図１０】
2005021200.tif 000012
【図１１】
2005021200.tif 000013
【図１２】
2005021200.tif 000014